(57)【特許請求の範囲】
【請求項１】
パネル本体に潜り戸を回動可能に支持し、前記パネル本体及び潜り戸にそれぞれ接床装置を設けた間仕切りパネルにおいて、
前記潜り戸用接床装置は、
前記潜り戸に水平方向に移動可能に支持されたロッドと、
前記ロッドの水平方向の移動を前記潜り戸の接床框の昇降動作に変換するリンクと、
前記ロッドを、前記接床框を上昇させる方向に付勢する付勢手段と、
前記潜り戸の閉鎖操作時に、前記ロッドを押圧して前記接床框を下降させるロッド受けとから構成し、
前記ロッド受けには、前記パネル本体の接床装置及び潜り戸用接床装置の非接床時に前記ロッドを前記付勢手段の付勢力に基づいて前記接床框を上昇させる方向に移動させる第一の案内部を設け、前記潜り戸の閉鎖操作時に前記ロッドを前記付勢手段の付勢力に抗して接床框を下降させる方向に押圧する第二の案内部を設け、前記ロッド受けは、前記パネル本体に上下動可能に支持するとともに、前記ロッドと前記第一の案内部との係合が解除されたとき、その自重によりパネル本体の接床框上まで下降可能とし、前記潜り戸用接床装置が接床状態にあるとき、前記本体パネルの接床解除動作時に前記パネル本体の接床框の上昇とともに上昇可能として、前記ロッドと第二の案内部との係合を解除して、該ロッドを前記第一の案内部に係合させることにより、前記潜り戸用接床装置の接床動作を解除可能とすることにより、前記パネル本体の非接床時には前記潜り戸の閉鎖操作により前記ロッドを前記第一の案内部に案内可能とし、前記パネル本体の接床時には前記潜り戸の開放操作に続く閉鎖操作に基づいて、前記ロッドを前記第二の案内部で押圧可能としたことを特徴とする間仕切りパネルの接床装置。
【請求項２】
前記第一の案内部は、前記ロッドを貫通可能とした貫通孔としたことを特徴とする請求項１記載の間仕切りパネルの接床装置。
【請求項３】
前記第二の案内部は、前記貫通孔の上方に設けた押圧部材としたことを特徴とする請求項１または２記載の間仕切りパネルの接床装置。
【請求項４】
前記押圧部材には、前記潜り戸の閉鎖操作時の前記ロッドの回動軌跡に沿った案内面を形成したことを特徴とする請求項１乃至３のいずれかに記載の間仕切りパネルの接床装置。
【発明の詳細な説明】
【０００１】
【発明の属する技術分野】
この発明は、潜り戸を備えた間仕切りパネルの接床装置に関するものである。
【０００２】
【従来の技術】
間仕切りパネルは、複数枚のパネルをハンガーレールに沿って引き出して召し合わせることにより、室内空間を適宜に区画するものである。このような間仕切りパネルには接天装置及び接床装置が設けられ、各パネルを所定位置まで移動させた状態で、例えば操作ハンドルで接天装置及び接床装置を作動させる。すると、接天框が天井面に圧接されるとともに、接床框が床面に圧接されて、当該パネルが天井面と床面との間で固定される。
【０００３】
複数枚の間仕切りパネルのうち、潜り戸を備えたパネルでは、パネル本体部分を接天装置及び接床装置により天井面と床面との間に固定した後、潜り戸に内蔵された接床装置を作動させて、潜り戸を床面に固定する。
【０００４】
しかし、このような間仕切りパネルではパネル本体部分の接天操作及び接床操作と、潜り戸部分の接床操作とを別個に行わなければならないので、その操作が煩雑である。
【０００５】
そこで、実公昭５６−４８８７０号公報には、パネル本体部分の接床装置の動作に連動して、潜り戸部分の接床装置を作動させる構成が開示されている。
【０００６】
【発明が解決しようとする課題】
ところが、実公昭５６−４８８７０号公報に記載された構成では、パネル本体部分の接床操作時に、潜り戸内の作動竿をコイルスプリングの付勢力に抗して押圧することにより、潜り戸部分の接床動作を連動させる構成である。
【０００７】
従って、コイルスプリングの付勢力がパネル本体部分の接床操作の負荷となるため、その接床操作に要する操作力が増大するという問題点がある。
また、コイルスプリングネの付勢力を小さくすれば、接床操作に要する操作力を軽減することはできるが、パネル本体部分の接床解除操作時に潜り戸部分の接床状態を確実に解除することができない。
【０００８】
この発明の目的は、パネル本体と潜り戸の接床操作及び接床解除操作を軽微な操作力でかつ容易に可能としながら、潜り戸を床面に対し確実に固定し得る間仕切りパネルの接床装置を提供することにある。
【０００９】
【課題を解決するための手段】
請求項１では、パネル本体に潜り戸を回動可能に支持し、前記パネル本体及び潜り戸にそれぞれ接床装置を設けた間仕切りパネルにおいて、前記潜り戸用接床装置は、前記潜り戸に水平方向に移動可能に支持されたロッドと、前記ロッドの水平方向の移動を前記潜り戸の接床框の昇降動作に変換するリンクと、前記ロッドを、前記接床框を上昇させる方向に付勢する付勢手段と、前記潜り戸の閉鎖操作時に、前記ロッドを押圧して前記接床框を下降させるロッド受けとから構成し、前記ロッド受けには、前記パネル本体の接床装置及び潜り戸用接床装置の非接床時に前記ロッドを前記付勢手段の付勢力に基づいて前記接床框を上昇させる方向に移動させる第一の案内部を設け、前記潜り戸の閉鎖操作時に前記ロッドを前記付勢手段の付勢力に抗して接床框を下降させる方向に押圧する第二の案内部を設け、前記ロッド受けは、前記パネル本体に上下動可能に支持するとともに、前記ロッドと前記第一の案内部との係合が解除されたとき、その自重によりパネル本体の接床框上まで下降可能とし、前記潜り戸用接床装置が接床状態にあるとき、前記本体パネルの接床解除動作時に前記パネル本体の接床框の上昇とともに上昇可能として、前記ロッドと第二の案内部との係合を解除して、該ロッドを前記第一の案内部に係合させることにより、前記潜り戸用接床装置の接床動作を解除可能とすることにより、前記パネル本体の非接床時には前記潜り戸の閉鎖操作により前記ロッドを前記第一の案内部に案内可能とし、前記パネル本体の接床時には前記潜り戸の開放操作に続く閉鎖操作に基づいて、前記ロッドを前記第二の案内部で押圧可能とした。
【００１１】
請求項２では、前記第一の案内部は、前記ロッドを貫通可能とした貫通孔とした。
請求項３では、前記第二の案内部は、前記貫通孔の上方に設けた押圧部材とした。
【００１２】
請求項４では、前記押圧部材には、前記潜り戸の閉鎖操作時の前記ロッドの回動軌跡に沿った案内面を形成した。
【００１３】
【発明の実施の形態】
以下、この発明を具体化した間仕切りパネルの接床装置の一実施の形態を図面に従って説明する。
【００１４】
図１に示すように、間仕切りパネルは、複数枚のパネル１ａ，１ｂがハンガーレールに沿って引き出され、順時召し合わされる。そして、各パネル１ａ，１ｂに内蔵される接天装置及び接床装置を作動させることにより、各パネル１ａ，１ｂを天井面２と床面３との間に固定可能となっている。
【００１５】
前記パネル１ａには潜り戸４がパネル本体５に蝶番６で開閉可能に支持されている。パネル本体５及び潜り戸４には、それぞれ接床装置が内蔵されている。
前記パネル本体５に内蔵される接床、接天装置は、例えばパネル側面に露出される操作軸に操作ハンドルを嵌合し、その操作ハンドルを操作することにより接天框を天井面に圧接するとともに、接床框を床面に圧接する公知の構成である。
【００１６】
前記潜り戸４に設けられる接床装置の具体的構成を説明すると、図２及び図３に示すように、潜り戸４の下枠７にはロッド８が潜り戸４の幅方向に移動可能に支持されている。
【００１７】
前記ロッド８は、前記下枠７を支点とするコイルスプリング９の付勢力により、パネル本体５に向かって矢印Ａ方向に付勢されている。
前記ロッド８の両端部には、一対のリンク１０ａ，１０ｂの上端が回動可能に連結され、そのリンク１０ａ，１０ｂの下端は前記下枠７に対し上下動可能にのみ支持された駆動枠１１に回動可能に連結されている。そして、駆動枠１１に潜り戸４の接床框１２が取着されている。
【００１８】
このような構成により、ロッド８がコイルスプリング９の付勢力に基づいて矢印Ａ方向に移動すると接床框１２が上昇し、コイルスプリング９の付勢力に抗して矢印Ｂ方向に移動すると、接床框１２が下降するようになっている。
【００１９】
図２に示すように、前記潜り戸４の接床框１２が床面３に当接しない状態では、前記ロッド８はその先端がパネル本体５内まで突出され、ロッド受け１３に貫通されている。
【００２０】
図６に示すように、前記ロッド受け１３は、支持板１４に押圧部材１５がネジ着され、その押圧部材１５の下方に前記ロッド８を貫通可能とした貫通孔１６が形成されている。
【００２１】
前記押圧部材１５は、その前面に円弧状の案内面１７が形成され、その案内面１７は蝶番６を回動支点として潜り戸４を開閉するときの前記ロッド８の回動軌跡に沿うように形成されている。
【００２２】
前記ロッド受け１３は、前記パネル本体５の前記蝶番６が取着される縦枠１９に上下動可能に支持され、ロッド８が貫通孔１６に貫通されない状態では、その自重によりパネル本体５の接床框１８の上面に当接するまで自重降下するようになっている。
【００２３】
次に、上記のように構成されたパネル本体５及び潜り戸４の接床動作を説明する。
図２に示すように、潜り戸４が閉じられ、かつパネル本体５の接床框１８が床面３に接床されていない状態では、潜り戸４の接床框１２も接床されない。このとき、図７に示すように、ロッド８はロッド受け１３の貫通孔１６に貫通された状態となる。
【００２４】
この状態から、パネル本体５を接床操作して接床框１８を接床させると、ロッド受け１３にはロッド８が貫通されているので、図４に示すように、接床框１８の下降に関わらず、ロッド受け１３は下降しない。
【００２５】
接床框１８を床面３に接床させた後、潜り戸４を開放方向に回動させると、図８及び図９に示すように、ロッド８がロッド受け１３の貫通孔１６から抜け出る。すると、ロッド受け１３はその自重により接床框１８上まで下降する。
【００２６】
この状態から、潜り戸４を閉鎖方向に回動させると、ロッド受け１３はロッド８に対し相対的に下方へ移動しているので、図１０に示すように、ロッド８は押圧部材１５の案内面１７に案内される状態となる。
【００２７】
そして、潜り戸４を閉じるにつれて、ロッド８は案内面１７に案内されながら押されて、矢印Ｂ方向に移動する。すると、潜り戸４の接床框１２が下降する。このようにして潜り戸４を完全に閉じると、図５に示すように、接床框１２が床面３に圧接される。
【００２８】
潜り戸４の接床状態を解除するには、パネル本体５の接床装置を作動させて、接床框１８を引き上げる。すると、ロッド受け１３が接床框１８とともに上方へ移動するため、ロッド８は押圧部材１５と摩擦しながらロッド受け１３に対し下方へ相対移動する。
【００２９】
そして、ロッド８と押圧部材１５との係合が外れると、コイルスプリング９の付勢力によりロッド８が矢印Ａ方向に移動し、図７に示すように、ロッド８がロッド受け１３の貫通孔１６を貫通する状態となる。この結果、潜り戸４の接床框１２が上昇して、接床状態が解除される。
【００３０】
上記のように構成された間仕切りパネルの接床装置では、次に示す作用効果を得ることができる。
（１）潜り戸４を備えた間仕切りパネルにおいて、パネル本体５の接床操作時には、潜り戸４の接床装置は作動しないので、潜り戸４の接床装置のコイルスプリング９の付勢力がパネル本体５の接床操作の負荷となることはない。従って、パネル本体５の接床操作を軽微な操作力で容易に行うことができる。
（２）潜り戸４の接床操作は、パネル本体５の接床操作を行った後、潜り戸４を開放方向に回動させ、さらに閉鎖することにより、容易に行うことができる。
（３）ロッド８を押圧部材１５に当接させた状態で潜り戸４を回動操作するとき、蝶番６から遠い位置を操作すれば、てこの原理によりロッド８を軽微な操作力で潜り戸４内に押し込むことができる。従って、潜り戸４の接床操作を軽微な操作力で行うことができる。
（４）潜り戸４の接床解除操作は、パネル本体５の接床解除操作と連動して行うことができる。
（５）潜り戸４の接床装置のコイルスプリング９の付勢力がパネル本体５の接床操作の負荷となることはないので、コイルスプリング９に十分な付勢力を確保することができる。従って、潜り戸４の接床操作時にロッド８を押圧部材１５の案内面１７に確実に当接させることができるとともに、潜り戸４の接床解除操作時に、ロッド８を貫通孔１６に確実に貫通させて、潜り戸４の接床解除操作を確実に行うことができる。
（６）潜り戸４の接床装置は、パネル本体５の接床装置と別個に接床操作を行う従来の接床装置と同様な構成であり、パネル本体５にロッド受け１３を追加するのみで、上記作用効果を備えた潜り戸４の接床装置を構成することができる。
【００３１】
上記実施の形態は、次に示すように変更することもできる。
・潜り戸４の接床装置の接床解除操作は、手動操作によりロッド受け１３を上方へ移動させるようにしてもよい。
・コイルスプリング９は、板バネ等の他の付勢手段に変更してもよい。
【００３２】
【発明の効果】
以上詳述したように、この発明はパネル本体と潜り戸の接床操作及び接床解除操作を軽微な操作力でかつ容易に可能としながら、潜り戸を床面に対し確実に接床可能とし得る間仕切りパネルの接床装置を提供することができる。
【図面の簡単な説明】
【図１】  一実施の形態の間仕切りパネルを示す正面図である。
【図２】  潜り戸の接床装置を示す正面図である。
【図３】  潜り戸の接床装置を示す平面図である。
【図４】  潜り戸の接床装置の動作を示す正面図である。
【図５】  潜り戸の接床装置の動作を示す正面図である。
【図６】  ロッド受けを示す斜視図である。
【図７】  ロッド受けの作用を示す説明図である。
【図８】  ロッド受けの作用を示す説明図である。
【図９】  ロッド受けの作用を示す説明図である。
【図１０】  ロッド受けの作用を示す説明図である。
【符号の説明】
４          潜り戸
５          パネル本体
８          ロッド
９          付勢手段（コイルスプリング）
１０ａ，１０ｂ      （リンク）
１２        接床框
１３        ロッド受け
１５          第二の案内部材（押圧部材）
１６          第一の案内部材（貫通孔）
【図１】
0003715915.tif 000002
【図２】
0003715915.tif 000003
【図３】
0003715915.tif 000004
【図４】
0003715915.tif 000005
【図５】
0003715915.tif 000006
【図６】
0003715915.tif 000007
【図７】
0003715915.tif 000008
【図８】
0003715915.tif 000009
【図９】
0003715915.tif 000010
【図１０】
0003715915.tif 000011